(57)【要約】【課題】十分な長さの棒状物を保持することができ、芯及び棒状物の交換を一度にすることができる芯カートリッジとする。【解決手段】芯を収容する芯タンク１２ａを備えて筆記具に着脱可能に組み込まれて芯を供給する芯カートリッジ１０であって、回転操作によって棒状物が繰り出される棒状物繰り出し機構を備え、棒状物繰り出し機構は、芯タンク１２ａを構成するケース１２の内周面に形成された螺旋溝１２ｈと、ケース１２内でケース１２に対して軸方向移動不能に且つ回転可能に配設されて軸方向に伸びるガイド孔１４ｂが形成されたガイド筒１４と、ガイド筒１４のガイド孔１４ｂに摺動可能にはめ込まれると共に、螺旋溝１２ｈに螺合する雄ねじ１６ｃを有する受台１６とを備え、受台１６に棒状物１８が保持される。シャープペンシル２０に芯カートリッジ１０が組み込まれたときに、ケース１２はシャープペンシルの外筒と回転不能となり、ガイド筒１４の一部がシャープペンシルから突出する。【選択図】図２
2007283754.tif 000002
【特許請求の範囲】
【請求項１】
芯を収容するタンクを備え、筆記具に着脱可能に組み込まれて芯を供給する芯カートリッジであって、
回転操作によって棒状物が繰り出される棒状物繰り出し機構を備えることを特徴とする芯カートリッジ。
【請求項２】
前記棒状物繰り出し機構は、タンクを構成するケースの内周面に形成された螺旋溝と、ケース内でケースに対して軸方向移動不能に且つ回転可能に配設されて軸方向に伸びるガイド孔が形成されたガイド筒と、ガイド筒のガイド孔に摺動可能にはめ込まれると共に、前記螺旋溝に螺合する雄ねじを有する受台とを備え、受台に棒状物が保持され、筆記具に組み込まれたときに、ケースは筆記具の外筒と回転不能となり、ガイド筒の一部が筆記具から突出して回転操作を受けることを特徴とする請求項１記載の芯カートリッジ。
【請求項３】
前記棒状物繰り出し機構は、タンクを構成するケースに対して軸方向移動不能に且つ回転不能に連結されて軸方向に伸びるガイド孔が形成されたガイド筒と、ガイド筒の外周側でガイド筒に対して軸方向移動不能に且つ回転可能に配設されて内周面に螺旋溝が形成された螺旋筒と、ガイド筒のガイド孔に摺動可能にはめ込まれると共に、前記螺旋溝に螺合する雄ねじを有する受台とを備え、受台に棒状物が保持され、筆記具に組み込まれたときに、ケースは筆記具の外筒と回転不能となり、螺旋筒の一部が筆記具から突出して回転操作を受けることを特徴とする請求項１記載の芯カートリッジ。
【請求項４】
前記棒状物繰り出し機構は、タンクを構成するケースに対して軸方向移動不能に且つ回転不能に連結されて内周面に螺旋溝が形成された螺旋筒と、螺旋筒の内周側で螺旋筒に対して軸方向移動不能に且つ回転可能に配設されて軸方向に伸びるガイド孔が形成されたガイド筒と、ガイド筒のガイド孔に摺動可能にはめ込まれると共に、前記螺旋溝に螺合する雄ねじを有する受台とを備え、受台に棒状物が保持され、筆記具に組み込まれたときに、ケースは筆記具の外筒と回転不能となり、ガイド筒の一部が筆記具から突出して回転操作を受けることを特徴とする請求項１記載の芯カートリッジ。
【請求項５】
前記ガイド筒は、前記タンクを構成するケースの周面に形成された係止部に係合して、ケース内で軸方向移動不能に保持されることを特徴とする請求項２または３記載の芯カートリッジ。
【請求項６】
前記螺旋筒は、前記タンクを構成するケースの周面に形成された係止部に係合して、ケース内で軸方向移動不能に保持されることを特徴とする請求項４記載の芯カートリッジ。
【請求項７】
前記タンク内に収容する芯に関する芯情報が表示された表示部が外周部に設けられることを特徴とする請求項１ないし６のいずれか１項に記載の芯カートリッジ。
【請求項８】
前記タンクを構成するケースの少なくとも一部はタンク内を視認可能とする透明材料で構成されることを特徴とする請求項１ないし７のいずれか１項に記載の芯カートリッジ。
【請求項９】
請求項７または８記載の芯カートリッジが組み込まれる筆記具において、筆記具の外筒の少なくとも一部を通して芯カートリッジが視認可能となっていることを特徴とする筆記具。
【請求項１０】
前記筆記具の外筒の少なくとも一部は透明材料で構成されると共に、該透明材料で構成された部分がレンズとして機能することを特徴とする請求項９記載の筆記具。
【発明の詳細な説明】
【技術分野】
【０００１】
本発明は、筆記具に芯を補充・交換するための芯カートリッジ及びその芯カートリッジが組み込まれる筆記具に関する。
【背景技術】
【０００２】
従来、筆記具に芯を補充するには、筆記具本体内部に設けられている芯タンク後部に係合されている消しゴム受台より消しゴムを取り外し、さらに、筆記具とは別製品である補充芯を収容する芯ケースから芯を抜き取って、前記消しゴム受台を通して芯タンク内にその芯を挿入する方法が一般的である。
【０００３】
こういった方法とは別に、芯を収容する芯カートリッジごと交換する方法も知られており、そのような芯カートリッジとしては特許文献１に記載されたものが知られている。特許文献１では、筆記具のリードガイドに開放パイプが固定されており、芯カートリッジの先端部に弾性開閉部を有する開閉機構が設けられており、該弾性開閉部は、リードガイドとの係合位置では開放パイプにより開口し、非係合位置では閉口するようになっている。
【０００４】
【特許文献１】実開昭６４−１７７８４号公報
【発明の開示】
【発明が解決しようとする課題】
【０００５】
しかしながら、この特許文献１または現在実用化されている芯カートリッジでは、芯カートリッジの後部に消しゴムといった棒状物が取り付けられたものもあるが、一般的に取り付けられている消しゴムは小さく、芯カートリッジの交換よりも早く消しゴムの交換が必要となるために、結果として、芯の交換、消しゴムの交換と二重の手間がかかっているという問題がある。
【０００６】
本発明はかかる課題に鑑みなされたもので、十分な長さの棒状物を保持することができ、芯及び棒状物の交換を一度にすることができる芯カートリッジ及び該芯カートリッジが組み込まれる筆記具を提供することをその目的とする。
【課題を解決するための手段】
【０００７】
上記目的を達成するために、本発明のうち請求項１記載の発明は、芯を収容するタンクを備え、筆記具に着脱可能に組み込まれて芯を供給する芯カートリッジであって、
回転操作によって棒状物が繰り出される棒状物繰り出し機構を備えることを特徴とする。
【０００８】
請求項２記載の発明は、請求項１記載の前記棒状物繰り出し機構が、タンクを構成するケースの内周面に形成された螺旋溝と、ケース内でケースに対して軸方向移動不能に且つ回転可能に配設されて軸方向に伸びるガイド孔が形成されたガイド筒と、ガイド筒のガイド孔に摺動可能にはめ込まれると共に、前記螺旋溝に螺合する雄ねじを有する受台とを備え、受台に棒状物が保持され、筆記具に組み込まれたときに、ケースは筆記具の外筒と回転不能となり、ガイド筒の一部が筆記具から突出して回転操作を受けることを特徴とする。
【０００９】
請求項３記載の発明は、請求項１記載の前記棒状物繰り出し機構が、タンクを構成するケースに対して軸方向移動不能に且つ回転不能に連結されて軸方向に伸びるガイド孔が形成されたガイド筒と、ガイド筒の外周側でガイド筒に対して軸方向移動不能に且つ回転可能に配設されて内周面に螺旋溝が形成された螺旋筒と、ガイド筒のガイド孔に摺動可能にはめ込まれると共に、前記螺旋溝に螺合する雄ねじを有する受台とを備え、受台に棒状物が保持され、筆記具に組み込まれたときに、ケースは筆記具の外筒と回転不能となり、螺旋筒の一部が筆記具から突出して回転操作を受けることを特徴とする。
【００１０】
請求項４記載の発明は、請求項１記載の前記棒状物繰り出し機構が、タンクを構成するケースに対して軸方向移動不能に且つ回転不能に連結されて内周面に螺旋溝が形成された螺旋筒と、螺旋筒の内周側で螺旋筒に対して軸方向移動不能に且つ回転可能に配設されて軸方向に伸びるガイド孔が形成されたガイド筒と、ガイド筒のガイド孔に摺動可能にはめ込まれると共に、前記螺旋溝に螺合する雄ねじを有する受台とを備え、受台に棒状物が保持され、筆記具に組み込まれたときに、ケースは筆記具の外筒と回転不能となり、ガイド筒の一部が筆記具から突出して回転操作を受けることを特徴とする。
【００１１】
請求項５記載の発明は、請求項２または３記載の前記ガイド筒が、前記タンクを構成するケースの周面に形成された係止部に係合して、ケース内で軸方向移動不能に保持されることを特徴とする。
【００１２】
請求項６記載の発明は、請求項４記載の前記螺旋筒が、前記タンクを構成するケースの周面に形成された係止部に係合して、ケース内で軸方向移動不能に保持されることを特徴とする。
【００１３】
請求項７記載の発明は、請求項１ないし６のいずれか１項に記載のものにおいて、前記タンク内に収容する芯に関する芯情報が表示された表示部が外周部に設けられることを特徴とする。
【００１４】
請求項８記載の発明は、請求項１ないし７のいずれか１項に記載の前記タンクを構成するケースの少なくとも一部がタンク内を視認可能とする透明材料で構成されることを特徴とする。
【００１５】
請求項９記載の発明は、請求項７または８記載の芯カートリッジが組み込まれる筆記具において、筆記具の外筒の少なくとも一部を通して芯カートリッジが視認可能となっていることを特徴とする。
【００１６】
請求項１０記載の発明は、請求項９記載の前記筆記具の外筒の少なくとも一部が透明材料で構成されると共に、該透明材料で構成された部分がレンズとして機能することを特徴とする。
【発明の効果】
【００１７】
本発明によれば、棒状物を繰り出す棒状物繰り出し機構を芯カートリッジに備えることにより、棒状物に十分な軸方向長さ寸法を持たせることができて、棒状物の消耗を芯カートリッジの交換時期まで延ばすことができるようになり、芯の交換と棒状物の交換とを別々に行なわなくても良いようにすることができる。
【００１８】
請求項２記載の発明によれば、タンクを構成するケースの内周面に棒状物を繰り出すための螺旋溝を形成することで、棒状物繰り出し機構を芯カートリッジに一体的に組み込むことができる。筆記具に芯カートリッジが組み込まれたときに、筆記具から一部が突出するガイド筒を回転操作することにより、棒状物を筆記具から繰り出すことができるようになる。
【００１９】
請求項３記載の発明によれば、タンクを構成するケースにガイド筒が連結されることで、棒状物繰り出し機構を芯カートリッジに一体的に組み込むことができる。筆記具に芯カートリッジが組み込まれたときに、筆記具から一部が突出する螺旋筒を回転操作することにより、棒状物を筆記具から繰り出すことができるようになる。ケースとガイド筒との連結を外せば棒状物繰り出し機構を単体として使用することも可能になる。
【００２０】
請求項４記載の発明によれば、タンクを構成するケースに螺旋筒が連結されることで、棒状物繰り出し機構を芯カートリッジに一体的に組み込むことができる。筆記具に芯カートリッジが組み込まれたときに、筆記具から一部が突出するガイド筒を回転操作することにより、棒状物を筆記具から繰り出すことができるようになる。ケースと螺旋筒との連結を外せば棒状物繰り出し機構を単体として使用することも可能になる。
【００２１】
請求項５または６記載の発明によれば、棒状物繰り出し機構をケースに組み付けるときに、係止部を係合させて容易に組み立てを行なうことができる。また、組み立てた後に、棒状物繰り出し機構を外したい場合であっても、係止部の係合を外すことで、容易にケースから取り出すことができる。
【００２２】
請求項７記載の発明によれば、表示部によって収容された芯の情報を知ることができ、芯カートリッジの筆記具への組み込みを適切に行なうことができる。
【００２３】
請求項８記載の発明によれば、タンク内が視認可能となっていることから、タンク内の芯の収容状況などを外部から確認することができる。
【００２４】
請求項９記載の発明によれば、芯カートリッジが筆記具に組み込まれた状態で、筆記具の外筒を通して芯カートリッジを視認して、芯の情報やタンク内の芯の収容状況などを筆記具外部から確認することができる。
【００２５】
請求項１０記載の発明によれば、外筒の一部のレンズ機能によって芯の情報やタンク内の収容状況などを拡大して筆記具外部から確認することができる。
【発明を実施するための最良の形態】
【００２６】
以下、図面を用いて本発明の実施の形態を説明する。
図１は本発明の一実施形態による芯カートリッジの全体図、図２はその縦断面図である。
【００２７】
図において、芯カートリッジ１０は、ケース１２と、パッキン１３と、ガイド筒１４と、棒状物である消しゴム１８を保持する消しゴム受台１６と、を有している。
【００２８】
ケース１２は、図３に示すように、中空の筒体をなしており、その中央部に補充・交換する芯が複数収容される芯タンク１２ａを備え、芯タンク１２ａよりも先端側に芯タンク１２ａよりも縮径された着脱連結部１２ｂを備えている。芯タンク１２ａと着脱連結部１２ｂとの境界には内径が小さくなった絞り部１２ｃが設けられている。着脱連結部１２ｂには、その先方から弾性材よりなるパッキン１３が絞り部１２ｃに向って突出するようにして挿入されている。パッキン１３の中心開口１３ａは、自然状態において、芯の径よりも小さいものとなっており、この状態では、芯タンク１２ａ内の芯は中心開口１３ａを通過することはできず、着脱連結部１２ｂから脱出することができないようになっている。
【００２９】
ケース１２の外周面には、複数の回り止めリブ１２ｄが突設されている。さらに、ケース１２の芯タンク１２ａよりも後側には、周面に係止部としての一対の係止片１２ｅが形成されている。係止片１２ｅは、ケース１２の周面に形成されたコ字状のスリット１２ｆによって囲まれて形成されており、これによって、径方向に弾性変位可能となっている。そして係止片１２ｅの内周面には係合突起１２ｇが形成されている。さらに、ケース１２の係止片１２ｅよりも後方に位置する内周面には螺旋溝１２ｈが形成されている。
【００３０】
また、ケース１２の外表面には、内部に収容している芯の径、硬度、色といった芯情報が印刷された表示部１２ｉを備えていると良い。これにより、使用者に適切に芯カートリッジ１０を選択させることができる。
【００３１】
以上のケース１２の係止片１２ｅ及び螺旋溝１２ｈに対応して、ケース１２の内部には前記ガイド筒１４が配設される。図４に示すように、ガイド筒１４の先端部の外周面には係止部としての環状溝１４ａが形成されており、この環状溝１４ａ内に前記係止片１２ｅの係合突起１２ｇが係合する。この係合によって、ガイド筒１４は、ケース１２に対して軸方向に移動不能であるが、回転は可能となる。また、ガイド筒１４の中央部には一対の軸方向に伸びるガイド孔１４ｂが形成されており、ガイド筒１４の後端部には、拡径された操作部１４ｃが形成されている。操作部１４ｃは、ケース１２の外部にあって、ケース１２の後端面に当接している。
【００３２】
ガイド筒１４のケース１２への組み立てにおいては、前記係止片１２ｅが弾性変位可能であるために、ガイド筒１４をケース１２内に挿入するときに、係止片１２ｅが変形されることで容易にガイド筒１４をケース１２に係合させることができる。また、組み立てた後に、ガイド筒１４を外したい場合であっても、冶具等を用いて係止片１２ｅを外部から径方向外側に変形させることで、容易にガイド筒１４をケース１２外へと取り出すことができる。よって、組み立て時に芯の種類または芯の数の入れ間違い等があり、そのミスがガイド筒１４をケース１２に組み立てた後に発覚したとしても、ガイド筒１４をケース１２より外してミスを修正することができる。但し、係止部としての係止片１２ｅとガイド筒１４の環状溝１４ａとによる係合の他に、ケース１２の内周面とガイド筒１４の外周面との間に形成された係止部としての環状の凹リブ及び凸リブとによる係合とすることもでき、これら凹凸リブを互いに嵌め合わせることで、ガイド筒１４をケース１２に回転可能に係合させることも可能である。
【００３３】
消しゴム受台１６は、ガイド筒１４内で、ガイド筒１４に対して軸方向に摺動可能に、且つケース１２に対して回転可能に配設される。図５に示すように、消しゴム受台１６は、消しゴム１８の底面を受ける底部１６ａと、底部１６ａから後部へと伸びて消しゴム１８を挟持する一対の挟持片１６ｂを備える。挟持片１６ｂは、ガイド筒１４のガイド孔１４ｂ内にはめ込まれて該ガイド孔１４ｂを軸方向に摺動可能となっている。また、挟持片１６ｂの外周面には雄ねじ１６ｃが形成されており、雄ねじ１６ｃは、前記ケース１２の螺旋溝１２ｈに螺合する。
【００３４】
ケース１２の螺旋溝１２ｈと、ガイド筒１４と、消しゴム受台１６とによって棒状物繰り出し機構が構成され、芯カートリッジ１０と一体化される。
【００３５】
図６は、以上のように構成される芯カートリッジ１０が筆記具であるシャープペンシル２０に組み込まれた状態を表す図である。このシャープペンシル２０は、外筒２２と、外筒２２に内蔵される芯繰り出し機構２４と、を備える。
【００３６】
外筒２２は、本体３０と、本体３０の先端に螺着される先具３２と、本体３０のグリップ部分に取り付けられるグリップ体３４とからなる。図７に示したように、本体３０の内周面には回り止め溝３０ａが形成されている。この回り止め溝３０ａに、芯カートリッジ１０のケース１２の回り止めリブ１２ｄが噛み合うことにより、ケース１２と外筒２２との回り止めがなされる。
【００３７】
芯繰り出し機構２４は、チャック継手３６と、チャック継手３６にその後端が圧入されて芯の締め付け及び芯の送出しを行なう芯チャック３８と、芯チャック３８のチャック部分の外周側に嵌合されてチャック部分を締め付け可能なチャックリング４０と、チャックリング４０の後方への移動を規制するスリーブ４２と、スリーブ４２とチャック継手３６との間にあってチャック継手３６及び芯チャック３８を後方へと付勢するチャックスプリング４４と、先具３２内で移動可能となったスライダ４６と、芯パイプ４８とを備える。
【００３８】
チャック継手３６は、図８に拡大して示すように、芯チャック３８の後端が圧入されるチャック嵌合孔３６ａと、芯カートリッジ１０のケース１２の着脱連結部１２ｂが着脱可能に連結されるカートリッジ嵌合孔３６ｂと、チャック嵌合孔３６ａとカートリッジ嵌合孔３６ｂとを連通して、芯が一本ごとに挿通する芯送り孔３６ｃとを有している。芯送り孔３６ｃには、案内パイプ３７が固定されている。尚、この案内パイプ３７については、図９に示したように、チャック継手３６と一体に成形されていてもよい。
【００３９】
芯カートリッジ１０とチャック継手３６との連結は、図１０に示すように、芯カートリッジ１０のケース１２の着脱連結部１２ｂをカートリッジ嵌合孔３６ｂに挿入することによって行なわれる。これにより、着脱連結部１２ｂの外周面の凹凸形状と、カートリッジ嵌合孔３６ｂの内周面の凹凸形状とが噛み合って、ケース１２とチャック継手３６とが連結される。同時に、案内パイプ３７がパッキン１３の中心開口１３ａ内に押し入り、中心開口１３ａが押し広げられて、芯タンク１２ａ内の芯が中心開口１３ａ及び芯送り孔３６ｃを通過することができるようになる。こうして、芯タンク１２ａ内の芯が芯チャック３８へと送られる。また、芯カートリッジ１０を取り外すときには、外筒２２からケース１２を引き抜くことで、簡単に行なうことができる。
【００４０】
以上のようにシャープペンシル２０に芯カートリッジ１０が組み込まれると、ガイド筒１４の操作部１４ｃを含む芯カートリッジ１０の後端部分は、外筒２２の後端から突出する。この芯カートリッジ１０の後端部分をノックすると、芯カートリッジ１０と共にチャック継手３６、芯チャック３８、チャックリング４０が前進し、公知の如く芯送りがなされて、筆記に供することができるようになる。
【００４１】
さらに、消しゴムを使用する場合には、外筒２２を固定した状態で、後端部分の操作部１４ｃを回転操作する。外筒２２とケース１２とは回り止めされているので、ガイド筒１４と一体回転する消しゴム受台１６はケース１２に対して回転する。すると、消しゴム受台１６の雄ねじ１６ｃが螺旋溝１２ｈに沿って移動するために、消しゴム１８が繰り出されることとなる。また、操作部１４ｃを反対方向に回転すると、消しゴム１８はケース１２内へと退没する。
【００４２】
このように消しゴム１８は繰り出し可能であるために、十分な軸方向長さ寸法を持たせることができて、芯カートリッジ１０の交換時期まで持たせることができるようになり、芯の交換と消しゴムの交換とを別々に行なわなくても良いようにすることができる。
【００４３】
また、図１１に示したように、外筒２２の本体３０の一部を透明軸３０’とすることもできる。この透明軸３０’の位置を、本体３０内での前記芯カートリッジ１０のケース１２の表示部１２ｉの軸方向位置に合致するように設定すると、芯カートリッジ１０を組み込んだ後も、芯情報などが外部から見えて好都合である。透明軸３０’の肉厚を適宜変化させて、例えば、透明軸３０’の内面断面形状を多角形形状として、透明軸３０’にレンズ効果を持たせれば、ケース１２の表示部１２ｉを拡大表示させることもできて、さらに好都合となる。または、透明軸３０’の代わりに、外筒２２の一部に透孔を設けることも可能である。
【００４４】
さらには、ケース１２全体またはその一部を透明樹脂で透明軸として構成することも可能である。これによって芯タンク１２ａ内の芯が外部から視認でき、タンク内の芯の収容状況や現在の芯の収容量を知り、芯カートリッジ１０の交換の必要性を知ることができる。
【００４５】
また、図１２は、本発明の他の実施形態による芯カートリッジの縦断面図である。尚、前実施形態と同一・同様の部材は同一の符号を付してその説明を省略する。
【００４６】
この例の芯カートリッジ５０は、ケース５２と、パッキン１３と、ガイド筒５４と、螺旋筒５６と、棒状物である消しゴム１８を保持する消しゴム受台１６と、を有している。
【００４７】
ケース５２は、図１３及び図１４に示すように、中空の筒体をなしており、その中央部に補充・交換する芯が複数収容される芯タンク５２ａを備え、芯タンク５２ａよりも先端側に芯タンク５２ａよりも縮径された着脱連結部５２ｂを備えている。芯タンク５２ａと着脱連結部５２ｂとの境界には内径が小さくなった絞り部５２ｃが設けられている。着脱連結部５２ｂには、その先方から弾性材よりなるパッキン１３が絞り部５２ｃに向って突出するようにして挿入されている。
【００４８】
ケース５２の外周面には、筆記具２０の外筒２２の本体３０の回り止め溝３０ａに噛み合う複数の回り止めリブ５２ｄが突設されている。さらに、ケース５２の芯タンク５２ａよりも後側の内周面は、その断面形状が多角形となった多角形孔部５２ｅとなっており、さらに多角形孔部５２ｅよりも後方の内周面には係止部としての環状凹リブ５２ｆが形成されている。
【００４９】
ケース５２の多角形孔部５２ｅと環状凹リブ５２ｆには、ガイド筒５４が係合する。即ち、ガイド筒５４の先端部の外周面は、その断面形状が多角形となった多角形部５４ａとなっており、この多角形部５４ａより後方の外周面には係止部としての環状凸リブ５４ｄが形成されている。この多角形部５４ａがケース５２の多角形孔部５２ｅに嵌合し、環状凸リブ５４ｄがケース５２の環状凹リブ５２ｆに係合する。この係合によって、ガイド筒５４は、ケース５２に対して回転不能且つ軸方向に移動不能に連結される。また、ガイド筒５４の中央部には一対の軸方向に伸びるガイド孔５４ｂが形成されており、ガイド筒５４の後端部には、拡径された拡径部５４ｃが形成されている。
【００５０】
さらに、ガイド筒５４の外周面には、周面に一対の係止片５４ｅが形成されている。係止片５４ｅは、ガイド筒５４の周面に形成されたコ字状のスリット５４ｆによって囲まれて形成されており、これによって、径方向に弾性変位可能となっている。
【００５１】
螺旋筒５６は、ガイド筒５４の前記拡径部５４ｃと係止片５４ｅの間に挟まれており、螺旋筒５６は、ガイド筒５４の外周側でガイド筒５４に対して軸方向に移動不能に且つ相対回転可能に配設される。螺旋筒５６の内周面には螺旋溝５６ａが形成されている。
【００５２】
消しゴム受台１６は、ガイド筒５４内で、ガイド筒５４に対して軸方向に摺動可能に、且つ螺旋筒５６に対して回転可能に配設される。そして、消しゴム受台１６の挟持片１６ｂは、ガイド筒５４のガイド孔５４ｂ内にはめ込まれて該ガイド孔５４ｂを軸方向に摺動可能となっていると共に、消しゴム受台１６の雄ねじ１６ｃは螺旋筒５６の螺旋溝５６ａに螺合している。
【００５３】
以上のガイド筒５４と、消しゴム受台１６と、螺旋筒５６とによって棒状物繰り出し機構が構成され、芯カートリッジ５０と一体化される。
【００５４】
図１５は、以上のように構成される芯カートリッジ５０が筆記具であるシャープペンシル２０に組み込まれた状態を表す図である。この芯カートリッジ５０の着脱は、第１実施形態と同様に行なうことができる。シャープペンシル２０に芯カートリッジ５０が組み込まれると、ガイド筒５４の拡径部５４ｃと螺旋筒５６の一部が外筒２２の後端から突出する。この芯カートリッジ５０の後端部分をノックすると、芯カートリッジ５０と共にチャック継手３６、芯チャック３８、チャックリング４０が前進し、公知の如く芯送りがなされて、筆記に供することができるようになる。
【００５５】
さらに、消しゴムを使用する場合には、外筒２２を固定した状態で、後端部分の螺旋筒５６を回転操作する。外筒２２とケース５２とは回り止めされており、さらにケース５２とガイド筒５４とは回り止めされているので、ガイド筒５４と一体回転する消しゴム受台１６は螺旋筒５６に対して相対回転する。すると、消しゴム受台１６の雄ねじ１６ｃが螺旋溝５６ａに沿って移動するために、消しゴム１８が繰り出されることとなる。また、螺旋筒５６を反対方向に回転すると、消しゴム１８は螺旋筒５６内へと退没する。
【００５６】
このように消しゴム１８は繰り出し可能であるために、十分な軸方向長さ寸法を持たせることができて、芯カートリッジ５０の交換時期まで持たせることができるようになり、芯の交換と消しゴムの交換とを別々に行なわなくても良いようにすることができる。
【００５７】
この実施形態では、ケース５２とチャック継手３６との間の結合力と、ケース５２とガイド筒５４の間の結合力とでは、前者の方が弱くなっており、従って、芯カートリッジ５０をシャープペンシル２０から取り外そうとする場合には、芯カートリッジ５０のガイド筒５４を後方へと引っ張ると、芯カートリッジ５０全体が外筒２２から引き抜けるようになっている。
【００５８】
また、芯タンク５２ａ内の芯がなくなってカートリッジ５０をシャープペンシル２０から引き抜いた後、消しゴム１８がまだ残っていたような場合に、強く力をかけて係止部同士の係合を解除してケース５２とガイド筒５４との結合を外し、棒状物繰り出し機構だけを残して、残った消しゴム１８を使うことも可能になる。
【００５９】
また、図１６は、本発明の第３の実施形態による芯カートリッジの縦断面図である。尚、前実施形態と同一・同様の部材は同一の符号を付してその説明を省略する。
【００６０】
この例の芯カートリッジ６０は、ケース６２と、パッキン１３と、ガイド筒６４と、螺旋筒６６と、棒状物である消しゴム１８を保持する消しゴム受台１６と、を有している。
【００６１】
ケース６２は、図１７に示すように、中空の筒体をなしており、その中央部に補充・交換する芯が複数収容される芯タンク６２ａを備え、芯タンク６２ａよりも先端側に芯タンク６２ａよりも縮径された着脱連結部６２ｂを備えている。芯タンク６２ａと着脱連結部６２ｂとの境界には内径が小さくなった絞り部６２ｃが設けられている。着脱連結部６２ｂには、その先方から弾性材よりなるパッキン１３が絞り部６２ｃに向って突出するようにして挿入されている。
【００６２】
ケース６２の外周面には、筆記具２０の外筒２２の本体３０の回り止め溝３０ａに噛み合う複数の回り止めリブ６２ｄが突設されている。さらに、ケース６２の芯タンク６２ａよりも後側の外周面には、係止部としての係止孔６２ｅが形成されている。
【００６３】
ケース６２の係止孔６２ｅには、螺旋筒６６が係合する。即ち、螺旋筒６６の先端部の外周面には、係止部としての係止凸部６６ｂが形成されている。この係止凸部６６ｂが係止孔６２ｅに係合し、また、ケース６２の内周面に形成されたリブ６２ｆが螺旋溝６６の外周面に形成された縦溝６６ｄに係合することによって、螺旋筒６６は、ケース６２に対して回転不能且つ軸方向に移動不能に連結される。螺旋筒６６の内周面には螺旋溝６６ａが形成されており、また、螺旋溝６６ａが形成されている部分よりも前方の外周面には、係合孔６６ｃが形成される。
【００６４】
ガイド筒６４は、螺旋筒６６内に後方から挿入される。ガイド筒６４の先端には、係合筒６４ａが形成されており、ガイド筒６４の中央部には一対の軸方向に伸びるガイド孔６４ｂが形成されており、ガイド筒６４の後端部には、拡径された操作部６４ｃが形成されている。尚、操作部６４ｃには、適宜、装飾リング６５を装着することも可能である。係合筒６４ａは、ガイド筒６４が螺旋筒６６内に後方から挿入されたときに、螺旋筒６６の係合孔６６ｃに係合するようになっている。
【００６５】
ガイド筒６４の操作部６４ｃと係合筒６４ａが螺旋筒６６に係合することにより、ガイド筒６４は、螺旋筒６６の内周側で螺旋筒６６に対して軸方向に移動不能に且つ相対回転可能に配設される
【００６６】
消しゴム受台１６は、ガイド筒６４内で、ガイド筒６４に対して軸方向に摺動可能に、且つ螺旋筒６６に対して回転可能に配設される。そして、消しゴム受台１６の挟持片１６ｂは、ガイド筒６４のガイド孔６４ｂ内にはめ込まれて該ガイド孔６４ｂを軸方向に摺動可能となっていると共に、消しゴム受台１６の雄ねじ１６ｃは螺旋筒６６の螺旋溝６６ａに螺合している。
【００６７】
以上のガイド筒６４と、消しゴム受台１６と、螺旋筒６６とによって棒状物繰り出し機構が構成され、芯カートリッジ６０と一体化される。
【００６８】
図１８は、以上のように構成される芯カートリッジ６０が筆記具であるシャープペンシル２０に組み込まれた状態を表す図である。この芯カートリッジ６０の着脱は、第１実施形態と同様に行なうことができる。シャープペンシル２０に芯カートリッジ６０が組み込まれると、ガイド筒６４の操作部６４ｃと螺旋筒６６の一部が外筒２２の後端から突出する。この芯カートリッジ６０の後端部分をノックすると、芯カートリッジ６０と共にチャック継手３６、芯チャック３８、チャックリング４０が前進し、公知の如く芯送りがなされて、筆記に供することができるようになる。
【００６９】
さらに、消しゴムを使用する場合には、外筒２２を固定した状態で、後端部分のガイド筒６４の操作部６４ｃを回転操作する。外筒２２とケース６２とは回り止めされており、さらにケース６２と螺旋筒６６とは回り止めされているので、ガイド筒６４と一体回転する消しゴム受台１６は螺旋筒６６に対して相対回転する。すると、消しゴム受台１６の雄ねじ１６ｃが螺旋溝６６ａに沿って移動するために、消しゴム１８が繰り出されることとなる。また、操作部６４ｃを反対方向に回転すると、消しゴム１８は螺旋筒６６内へと退没する。
【００７０】
このように消しゴム１８は繰り出し可能であるために、十分な軸方向長さ寸法を持たせることができて、芯カートリッジ６０の交換時期まで持たせることができるようになり、芯の交換と消しゴムの交換とを別々に行なわなくても良いようにすることができる。
【００７１】
この実施形態では、ケース６２とチャック継手３６との間の結合力と、ケース６２と螺旋筒６６の間の結合力とでは、前者の方が弱くなっており、従って、芯カートリッジ６０をシャープペンシル２０から取り外そうとする場合には、芯カートリッジ６０の螺旋筒６６を後方へと引っ張ると、芯カートリッジ６０全体が外筒２２から引き抜けるようになっている。
【００７２】
また、芯タンク６２ａ内の芯がなくなって芯カートリッジ６０をシャープペンシル２０から引き抜いた後、消しゴム１８がまだ残っていたような場合に、強く力をかけて係止部同士の係合を解除してケース６２と螺旋筒６６との結合を外し、棒状物繰り出し機構だけを残して、残った消しゴム１８を使うことも可能になる。
【図面の簡単な説明】
【００７３】
【図１】本発明の一実施形態による芯カートリッジの全体図である。
【図２】図１の縦断面図である。
【図３】ケースの縦断面図である。
【図４】（ａ）はガイド筒の平面図、（ｂ）はガイド筒の断面図である。
【図５】（ａ）は消しゴム受台の平面図、（ｂ）は消しゴム受台の正面図、（ｃ）は消しゴム受台の断面図である。
【図６】図１の芯カートリッジがシャープペンシルに組み込まれた状態を表す断面図である。
【図７】外筒の本体の縦断面図である。
【図８】チャック継手の縦断面図である。
【図９】チャック継手の変形例の断面図である。
【図１０】芯カートリッジとチャック継手との連結手順を表す断面図である。
【図１１】芯カートリッジが組み込まれたシャープペンシルの別の側面図である。
【図１２】本発明の他の実施形態による芯カートリッジの縦断面図である。
【図１３】図１２の芯カートリッジの分解図である。
【図１４】図１２の芯カートリッジの分解縦断面図である。
【図１５】図１２の芯カートリッジがシャープペンシルに組み込まれた状態を表す断面図である。
【図１６】本発明の第３の実施形態による芯カートリッジの縦断面図である。
【図１７】図１６の芯カートリッジの分解縦断面図である。
【図１８】図１６の芯カートリッジがシャープペンシルに組み込まれた状態を表す断面図である。
【符号の説明】
【００７４】
１０、５０、６０  芯カートリッジ
１２、５２、６２  ケース
１２ａ、５２ａ、６２ａ  芯タンク
１２ｅ  係止片（係止部）
１２ｈ  螺旋溝
１２ｉ  表示部
１４、５４、６４  ガイド筒
１４ｂ、５４ｂ、６４ｂ  ガイド孔
１４ｃ、６４ｃ  操作部
１６  消しゴム受台（受台）
１６ｃ  雄ねじ
１８  消しゴム（棒状物）
２０  シャープペンシル（筆記具）
２２  外筒
３０’  透明軸
５２ｆ  環状凹リブ（係止部）
５６、６６  螺旋筒
【図１】
2007283754.tif 000003
【図２】
2007283754.tif 000004
【図３】
2007283754.tif 000005
【図４】
2007283754.tif 000006
【図５】
2007283754.tif 000007
【図６】
2007283754.tif 000008
【図７】
2007283754.tif 000009
【図８】
2007283754.tif 000010
【図９】
2007283754.tif 000011
【図１０】
2007283754.tif 000012
【図１１】
2007283754.tif 000013
【図１２】
2007283754.tif 000014
【図１３】
2007283754.tif 000015
【図１４】
2007283754.tif 000016
【図１５】
2007283754.tif 000017
【図１６】
2007283754.tif 000018
【図１７】
2007283754.tif 000019
【図１８】
2007283754.tif 000020